(57)【要約】マルチディスプレイ装置はディスプレイを有するパネルハウジングを含む。パネルハウジングは互いに折れ、パネルハウジングを広げると、ディスプレイは隣接する。キー入力部はパネルハウジングに折られるように提供される。したがって、マルチディスプレイ装置は使用者が手で取り易く、折ったり広げたりできる便利な作用を奏する。
2005539326.tif 000002
【特許請求の範囲】
【請求項１】
ディスプレイを備えるパネルハウジング、前記パネルハウジングは互いに折れ、パネルハウジングを広げると、ディスプレイの少なくとも一辺が隣接する；および
前記パネルハウジングの折れるキー入力部
とからなるマルチディスプレイ装置。
【請求項２】
前記パネルハウジングとキー入力部またはパネルハウジング相互を広げるために、伝動装置もしくは弾性装置を用いる請求項１記載のマルチディスプレイ装置。
【請求項３】
前記パネルハウジングとキー入力部を広げると、パネルハウジングが相互に広げられる請求項１記載のマルチディスプレイ装置。
【請求項４】
キー入力部に折られたパネルハウジングの一つの外部面に設けられた第１補助ディスプレイをさらに含む請求項１記載のマルチディスプレイ装置。
【請求項５】
キー入力部から広げられたパネルハウジングの一つの内部面に設けられた第２補助ディスプレイをさらに含み、前記第２補助ディスプレイはキー入力部に備わった入力機能により情報を表示する請求項１記載のマルチディスプレイ装置。
【請求項６】
互いに折られたパネルハウジングからキー入力部が広げられた場合に、第２補助ディスプレイが駆動する請求項５記載のマルチディスプレイ装置。
【請求項７】
パネルハウジングの折られた側面部をカバーするカバー手段をさらに含み、前記カバー手段はパネルハウジングの折られた部分が装着されるキー入力部の側面に備わる請求項１記載のマルチディスプレイ装置。
【請求項８】
拡張部がキー入力部にさらに備わり、前記拡張部はキー入力部に分離式に結合される請求項１記載のマルチディスプレイ装置。
【請求項９】
ディスプレイが装着された少なくとも二つのパネルハウジング、前記パネルハウジングは互いに折れ、パネルハウジングを広げると、ディスプレイの少なくとも一辺が隣接する；および
前記パネルハウジングの下部に摺動して受けいれることができるキー入力部とからなるマルチディスプレイ装置。
【請求項１０】
キー入力部の摺動移動がパネルハウジングが折られたり広げられたりする動作と連動する請求項９記載のマルチディスプレイ装置。
【請求項１１】
パネルハウジングの外部面に補助ディスプレイを備える請求項９記載のマルチディスプレイ装置。
【請求項１２】
パネルハウジングを互いに広げると、キー入力部が摺動して外に出る請求項９記載のマルチディスプレイ装置。
【請求項１３】
前記キー入力部に分離式に結合される拡張部をさらに含む請求項９記載のマルチディスプレイ装置。
【請求項１４】
前記パネルハウジングは摺動移動により互いに重なったり広げられたりして、パネルハウジングが広げられた時にディスプレイの少なくとも一辺が隣接する請求項９記載のマルチディスプレイ装置。
【請求項１５】
前記パネルハウジングは互いに分離可能に結合され、パネルハウジングが結合時にはディスプレイの少なくとも一辺が隣接する請求項９記載のマルチディスプレイ装置。
【請求項１６】
キー入力部がパネルハウジングの外に出た場合に、キー入力部とパネルハウジングの間の支持力を補強するために支持台をさらに含む請求項９記載のマルチディスプレイ装置。
【請求項１７】
前記支持台はパネルハウジングとキー入力部の間を摺動するように、または、二端以上に重なるように構成する請求項１６記載のマルチディスプレイ装置。
【請求項１８】
ディスプレイが装着された少なくとも二つのパネルハウジング、前記パネルハウジングは互いに折れ、パネルハウジングを広げると、ディスプレイの少なくとも一辺が隣接する；
キー入力部；および
ディスプレイとキー入力部が互いに広げられて、ディスプレイがキー入力部の一側に傾いた時に、ディスプレイをキー入力部の中に移動させる移動手段
とからなるマルチディスプレイ装置。
【請求項１９】
パネルハウジングとキー入力部は折られたり広げられたりする動作または摺動移動により動く請求項１８記載のマルチディスプレイ装置。
【請求項２０】
前記ディスプレイは折られてその背面が互いに接触し、ディスプレイが広げられる時に互いに隣接したり分離される請求項１８記載のマルチディスプレイ装置。
【請求項２１】
ディスプレイが装着された少なくとも二つのパネルハウジング、前記パネルハウジングは互いに折れ、パネルハウジングを広げると、ディスプレイの少なくとも一辺が隣接する；
キー入力部；および
ディスプレイを互いに隣接するために、ディスプレイが隣接するパネルハウジングの側壁またはディスプレイが隣接する機構物の隣接部に設けられた連結繋ぎ部
とからなるマルチディスプレイ装置。
【請求項２２】
前記連結繋ぎ部は開放形成された請求項２１記載のマルチディスプレイ装置。
【請求項２３】
前記連結繋ぎ部の厚さが０．５ｍｍ以下である請求項２１記載のマルチディスプレイ装置。
【請求項２４】
ディスプレイが隣接するパネルハウジングの側壁を切開して側壁切開部を設けてその上端にディスプレイを装着する請求項２１記載のマルチディスプレイ装置。
【請求項２５】
パネルハウジングにディスプレイを装着した後、画面の前面とパネルハウジングの連結繋ぎ部を保護するために保護覆いを備える請求項２１記載のマルチディスプレイ装置。
【請求項２６】
前記保護覆いは、パネルハウジングの連結繋ぎ部を保護するための保護覆いの側面と画面の前面を保護するための保護覆いの前面を持ち、前記保護覆いの側面が前面より薄く請求項２５記載のマルチディスプレイ装置。
【請求項２７】
前記保護覆いの側面の厚さが０．５ｍｍ以下である請求項２５記載のマルチディスプレイ装置。
【発明の詳細な説明】
【技術分野】
【０００１】
本発明は互いに折れることができるディスプレイを有するパネルハウジングにおいて折れたり、摺動したりすることができるキー入力部を備えるマルチディスプレイ装置に関する。
【背景技術】
【０００２】
二つ以上のディスプレイを用いて一つの大画面を構成する方法は大型表示装置に適用して用いられた。最近、無線インターネットなどの多様な機能が携帯用ディスプレイ装置に付加されることによって、大画面の必要性が増加した。しかし、携帯用ディスプレイ装置が大画面を持つように設計すれば、携帯用ディスプレイ装置の主な特性である移動性を生かすことができない。したがって、互いに折れることができる平板ディスプレイを採用した携帯用ディスプレイ装置が提案された。
【０００３】
一般に、LCDs、FEDs(Field emission display)、PDPs(Plasma Display Panel)、Els(Electro Luminescent)などのような平板ディスプレイが携帯用ディスプレイ装置に用いられている。
【０００４】
このような平板ディスプレイを採用した携帯用折れ式ディスプレイ装置は、ディスプレイの上端に設けられるペン入力装置を使用する。しかしながら、平板ディスプレイが互いに折れる時には、折れ式ディスプレイ装置に合うペン入力装置を別に開発しなければならない。また、キー入力部を備える場合、ディスプレイ装置の面積が広がって移動性を悪くなる。
【発明の開示】
【０００５】
従って、本発明は前記のような従来技術の問題点を解消するためのものである。
本発明の目的は、各々折ることができるディスプレイを有するパネルハウジングとキー入力部を含み、前記パネルハウジングが互いに垂直に隣接すると、前記パネルハウジングとキー入力部は水平に折られたりまたは摺動するマルチディスプレイ装置を提供することにある。
【０００６】
前記目的を実現するために、本発明のマルチディスプレイ装置は、ディスプレイを備えるパネルハウジング、前記パネルハウジングは互いに折れ、パネルハウジングを広げると、ディスプレイの少なくとも一辺が隣接する；および前記パネルハウジングの折れるキー入力部とからなる。
【０００７】
前記パネルハウジングとキー入力部またはパネルハウジングを相互に広げるために、伝動装置もしくは弾性装置を用いる。前記パネルハウジングとキー入力部を広げると、パネルハウジングも相互に広げられる。
【０００８】
マルチディスプレイ装置は、キー入力部に折られたパネルハウジングの一つの外部面に設けられた第１補助ディスプレイをさらに含み、キー入力部から広げられたパネルハウジングの一つの内部面に設けられた第２補助ディスプレイをさらに含む。
【０００９】
キー入力部に備わった入力機能により前記第２補助ディスプレイに情報が表示され、互いに折られたパネルハウジングからキー入力部が広げられた場合に、第２補助ディスプレイが駆動する。
【００１０】
マルチディスプレイ装置は、パネルハウジングの折られた側面部をカバーするカバー手段をさらに含み、前記カバー手段はパネルハウジングの折られた部分が装着されるキー入力部の側面に備わる。
【００１１】
マルチディスプレイ装置は、前記キー入力部に拡張部がさらに備わり、前記拡張部はキー入力部に分離式に結合される。
【００１２】
本発明の他の実施の形態によると、マルチディスプレイ装置は、ディスプレイが装着された少なくとも二つのパネルハウジング、前記パネルハウジングは互いに折れ、パネルハウジングを広げると、ディスプレイの少なくとも一辺が隣接する；および前記パネルハウジングの下部に摺動して受けいれることができるキー入力部とからなる。
【００１３】
キー入力部の摺動移動はパネルハウジングが折られたり広げられたりする動作と連動する。パネルハウジングを互いに広げると、キー入力部は摺動して外に出る。
【００１４】
マルチディスプレイ装置は、パネルハウジングの外部面に補助ディスプレイを備え、そして、キー入力部に分離式に結合される拡張部をさらに含む。
【００１５】
前記パネルハウジングは摺動移動により互いに重なったり広げられたりして、パネルハウジングが広げられた時にディスプレイの少なくとも一辺が隣接する。
【００１６】
前記パネルハウジングは互いに分離可能に結合され、パネルハウジングが結合時にはディスプレイの少なくとも一辺が隣接する。
【００１７】
マルチディスプレイ装置は、キー入力部がパネルハウジングの外に出た場合に、キー入力部とパネルハウジングの間の支持力を補強するために支持台をさらに含む。前記支持台はパネルハウジングとキー入力部の間を摺動するように、または、二端以上に重なるように構成する。
【００１８】
本発明の他の実施の形態によると、マルチディスプレイ装置は、ディスプレイが装着された少なくとも二つのパネルハウジング、前記パネルハウジングは互いに折れ、パネルハウジングを広げると、ディスプレイの少なくとも一辺が隣接する；キー入力部；およびディスプレイとキー入力部が互いに広げられて、ディスプレイがキー入力部の一側に傾いた時に、ディスプレイをキー入力部の中に移動させる移動手段とからなる。
【００１９】
前記パネルハウジングとキー入力部は折られたり広げられたりする動作または摺動移動により動く。
【００２０】
前記ディスプレイは折られてその背面が互いに接触し、互いに隣接されたり分離されるように構成される。
【００２１】
本発明の他の実施の形態によると、マルチディスプレイ装置は、ディスプレイが装着された少なくとも二つのパネルハウジング、前記パネルハウジングは互いに折れ、パネルハウジングを広げると、ディスプレイの少なくとも一辺が隣接する；キー入力部；およびディスプレイを互いに隣接するために、ディスプレイが隣接するパネルハウジングの側壁またはディスプレイが隣接する機構物の隣接部に設けられた連結繋ぎ部とからなる。
【００２２】
前記連結繋ぎ部は開放形成され、その厚さは０．５ｍｍ以下である。
【００２３】
ディスプレイが隣接するパネルハウジングの側壁を切開して側壁切開部を設けてその上端にディスプレイを装着する。
【００２４】
パネルハウジングにディスプレイを装着した後、画面の前面とパネルハウジングの連結繋ぎ部を保護するために保護覆いを備える。前記保護覆いは、パネルハウジングの連結繋ぎ部を保護するための保護覆いの側面と画面の前面を保護するための保護覆いの前面を持ち、前記保護覆いの側面が前面より薄くなるように構成される。
【００２５】
前記保護覆いの側面の厚さは０．５ｍｍ以下である。
【発明を実施するための最良の形態】
【００２６】
以下、本発明の好ましい実施の形態を添付した図面を参照して説明する。
【００２７】
本発明に用いられる平板ディスプレイとしてはＬＣＤｓ、ＦＥＤｓ、ＰＤＰｓ、電子紙（Electric papers）などを用いることができる。
【００２８】
図１ａと図１ｂは本発明のマルチディスプレイ装置を示した図面である。
【００２９】
本発明のマルチディスプレイ装置は、パネルハウジング２０、４０に備わるディスプレイ２、４、前記パネルハウジング２０、４０を広げるとディスプレイ２、４が互いに隣接する；および前記パネルハウジング２０、４０とは別に設けられるキー入力部１００を含む。
【００３０】
図１ａはパネルハウジングとキー入力部を広げた状態を示した。
【００３１】
キー入力部１００とパネルハウジング２０、４０は連結部６ｃによって、図面で見るように水平に折れる。パネルハウジング２０、４０は連結手段６１、６２によって図面で見るように垂直に折れる。キー入力部１００には入力装置１１０が備わって情報の入力ができる。
【００３２】
前記キー入力部１００とパネルハウジング２０、４０は完全に広げられた場合にも一定な角度を維持する。すなわち、一定な角度の維持は使用者にディスプレイを見易いようにしたものである。
【００３３】
また、本発明ではペン入力装置１１０ａをさらに備えることもできる。
【００３４】
図１ｂは折られた状態のマルチディスプレイ装置を示した図面である。パネルハウジング２０、４０を互いに折った後、折ったパネルハウジング２０、４０は図１ｂで示したようにキー入力部１００にまた折られた。
【００３５】
パネルハウジング４０の後側にはハンドル２６が備わって、キー入力部１００にはハンドル２６を取るようにハンドルボタン２６ａが備わる。前記ハンドルボタン２６ａはハンドル２６を取る時には入るが、弾力性により本来の形態に復元できる。また、前記ハンドルボタン２６ａの両側にはハンドルボタン２６ａと高さを合わせるための下敷き部１０１を備える。そして、パネルハウジング２０、４０が折られた部分にはカバー手段１０が備わる。
【００３６】
図２はパネルハウジングでカバー手段の反対側面を示した図である。
【００３７】
ディスプレイの両側面の外観上の均衡を合わせるために、カバー手段１０がない側の側面にもカバー手段１０と類似な形状の模型カバー手段１０ｂを備える。
【００３８】
前記模型カバー手段１０ｂは分離線１０ｃによって上下部分に分離される。前記分離線１０ｃはパネルハウジング２０とパネルハウジング４０の間を分けるものである。
【００３９】
図３ａと図３ｂはパネルハウジングを折ったり広げる手段として伝動装置を用いた実施の形態の図面である。
【００４０】
図３ａはパネルハウジング２０、４０を折ったり広げたりすることに用いる伝動部を示した図であり、図１ａにＢで示した領域に備わる。
【００４１】
伝動装置７０を通じて発生した動力は速度を調節する調節ギア７１ａ、７１ｂ、７１ｃを通じて連結手段６１、６２に備わった連結ギア６１ｆに連結される。そして、キー入力部１００の側面には前記伝動装置７０を作動するためにスイッチ２５０が備わる。
【００４２】
この時、前記伝動装置７０は第１パネルハウジング２０に備わって、第１連結手段６１も第１パネルハウジング２０に固定される。そして、連結ギア６１ｆが装着された第２連結手段６２は第２パネルハウジング４０に固定される。したがって、スイッチ２５０を作動すると、伝動装置７０の動力が第２連結手段６２の連結ギア６１ｆを動かせて、その結果第２パネルハウジング４０と第１パネルハウジング２０が折ったり広げたりできるようになる。
【００４３】
図３ｂに示した伝動装置は図１ａのＡに示した領域に備わる。
【００４４】
スイッチ２５０を作動すると、伝動装置７０の動力が速度を調節する調節ギア７１ｄを通じて連結部６ｃの連結軸６３に備わった連結ギア６３ａに伝達される。
【００４５】
連結軸６３は第１パネルハウジング２０もしくは第２パネルハウジング４０の一つと連結される。従って、伝動装置７０から伝達された動力によってキー入力部１００とパネルハウジング２０、４０が折られたり広げられたりする。
【００４６】
この時、図３ａに示した伝動装置７０は弾性力を貯蔵するらせんバネ(Spiral spring)で形成できる。前記らせんバネはパネルハウジング２０、４０を折る場合、弾性力を貯蔵するように設計される。
【００４７】
従って、キー入力部１００とパネルハウジング２０、４０を広げると、パネルハウジング２０、４０はらせんバネの弾性力によって自動に広げられることである。即ち、手動でキー入力部１００とパネルハウジング２０、４０を広げると、パネルハウジング２０、４０はらせんバネの弾性力によって自動に広げられる。この時、パネルハウジング２０、４０が広げられるエネルギーはパネルハウジング２０、４０を折る時に蓄積された弾性力になる。
【００４８】
また、図３ｂの伝動装置７０もらせんバネで形成されて、キー入力部１００とパネルハウジング２０、４０相互が広げられる時も自動に広げられることができる。前記パネルハウジング２０、４０をキー入力部１００に固定する締り手段が備わる。前記締り手段を解くと、らせんバネの弾性力によってパネルハウジング２０、４０とキー入力部１００が広げられる。
【００４９】
図４は本発明のマルチディスプレイのブロック図である。
【００５０】
ディスプレイには連結部６ｃまたは連結軸６３にセンサー３（２２ｃ）が備わり、前記センサー３（２２ｃ）はキー入力部１００とパネルハウジング２０、４０が一定な角度で広げられると、前記広げられた状態を感知する。
【００５１】
キー入力部１００とパネルハウジング２０、４０が一定な角度で広げられると、センサー１（２２ａ）がこの状態を感知し、中央処理装置２００に感知信号を送って、中央処理装置２００はパネルハウジング２０に備わった伝動装置７０を駆動する。
【００５２】
即ち、キー入力部１００とパネルハウジング２０、４０が一定な角度で広げられると、伝動装置７０が駆動してパネルハウジング２０、４０が広げられる。この場合、キー入力部１００からのパネルハウジング２０、４０を広げる動作は手動によりなされる。
【００５３】
また、図３ｂに示したように、キー入力部１００も伝動装置７０を備えて、キー入力部１００とパネルハウジング２０、４０を広げる動作も自動にできる。この場合には、キー入力部１００とパネルハウジング２０、４０を広げる動作はスイッチ２５０の操作によって遂行される。そして、キー入力部１００とパネルハウジング２０、４０が一定な角度で広げられると、センサー３（２２ｃ）によってパネルハウジング２０に装着された伝動装置７０が駆動し、パネルハウジング２０、４０も互いに広げられる。
【００５４】
図５ａと図５ｂは補助ディスプレイを備えた実施の形態の図である。
【００５５】
図５ａはパネルハウジング２０、４０とキー入力部１００が全部閉じた状態で用いられる第１補助ディスプレイ６を示した。図面に示したように、パネルハウジング２０、４０とキー入力部１００が折られた状態で、第１補助ディスプレイ６が外部に露出する外部面４０１に設けられる。前記補助ディスプレイはマルチディスプレイ装置の状態を示す。
【００５６】
図５ｂはキー入力部とパネルハウジングが広げられた状態で用いられる第２補助ディスプレイ８を示した。図面に示したように、キー入力部１００とパネルハウジング２０、４０は広げられたが、パネルハウジング２０、４０が未だ互いに折られた状態になると、内部面２０１が露出する。この時、第２補助ディスプレイ８が前記内部面２０１に設けられる。ここで、第２補助ディスプレイ８が内部面２０１より突出して形成される場合には、入力装置１１０が備えられ、かつ第２補助ディスプレイと相接するキー入力部１００の表面を低く形成することもできる。
【００５７】
また、第２補助ディスプレイ８を用いる場合には、キー入力部１００とパネルハウジング２０、４０を広げると続いてパネルハウジング２０、４０も広げられる機能は提供されない。
【００５８】
前記第２補助ディスプレイ８は入力装置１１０を通じて入力される情報を示し、入力装置１１０の命令によって要求される情報も示す。即ち、ディスプレイ装置を無線電話として用いる時、または簡単な文字とか情報検索などを第２補助ディスプレイ２を通じて示すことができる。
【００５９】
なお、使用者がゲーム、インターネット、電子手帳などの複雑な機能を遂行しようとする時は、パネルハウジング２０、４０を広げる時に見るディスプレイ２、４を通じて遂行する。
【００６０】
図６は補助ディスプレイを用いる順序を示す図面である。
【００６１】
電源を印加すると、中央処理装置２００はメモリ２１０、２２０、２３０、入力装置１１０およびセンサー２２ａ、２２ｂなどの状態を確認し、定まった情報によってディスプレイを駆動するための出力信号を送る。
【００６２】
そして、センサー１（２２ａ）はパネルハウジング２０、４０が互いに閉じておることを、センサー２（２２ｂ）はキー入力部１００とパネルハウジング２０、４０が閉じていることを判断する（３１２段階）。
【００６３】
前記３１２段階でキー入力部１００とパネルハウジング２０、４０が全部閉じていると、第１、２ディスプレイ２、４および第２補助ディスプレイ８は駆動されない（３１３段階）。
【００６４】
前記３１２段階でキー入力部１００とパネルハウジング２０、４０が全部閉じていないと、パネルハウジング２０、４０が閉じていることを判断する（３１４段階）。そして、パネルハウジング２０、４０が閉じていると、第２補助ディスプレイ８が駆動する（３１５段階）。
【００６５】
一方、入力装置１１０が作動すると、第２補助ディスプレイ８の使用画面が表示され、入力装置が作動しないと、第２補助ディスプレイの正常画面が表示される（３１６〜３１８段階）。
【００６６】
また、前記３１４段階でパネルハウジングが閉じていないと、第１、２ディスプレイ２、４が駆動する（３１９段階）。
【００６７】
ここで、入力装置１１０が作動すると、第１、２ディスプレイの使用画面が表示され、入力装置１１０が作動しないと、第１、２ディスプレイの正常画面が表示される（３２０〜３２２段階）。
【００６８】
本発明のマルチディスプレイ装置では、第２補助ディスプレイ８用表示画面と第１、２ディスプレイ２、４用表示画面が互いに異なる。従って、図６の順序図は各々の場合に合わせて表示画面が選択されることを示す。
【００６９】
また、第１補助ディスプレイは前記３１２、３１４段階の判断と関係なくて常に駆動するようにすることもできる。第１補助ディスプレイ６を駆動するために、スイッチが別に備わることができる。そして、パネルハウジング２０、４０が互いに広げられた状態で、第１、２ディスプレイ２、４のうちの一つのディスプレイだけが、メニューボタンとか別途のスイッチの選択を通じて駆動できる。
【００７０】
前記のように、ディスプレイの駆動が自動もしくは手動で選択的になるので携帯用表示装置の電力消耗を減らす。
【００７１】
図７ａと図７ｂはカバー手段の他の実施の形態を示す。
【００７２】
図７ａはキー入力部１００とパネルハウジング２０、４０が全部閉じた状態を示し、図７ｂはパネルハウジングが互いに閉じている状態を示す。
【００７３】
図面に示したように、パネルハウジング２０、４０の折られた部分が装着されるキー入力部の側面に固定カバー手段１０ａが備わる。前記固定カバー手段１０ａはパネルハウジング２０、４０の折られた側面部をカバーする。即ち、閉じたパネルハウジング２０、４０がキー入力部１００とも閉じている時、前記固定カバー手段１０ａがパネルハウジングの折られた側面部をカバーするものである。
【００７４】
前記固定カバー手段１０ａはキー入力部１００の側面から突出するように形成される。しかしながら、固定カバー手段１０ａの下部に弾性装置をさらに備えて、固定カバー手段１０ａがキー入力部１００から突出しないようにすることもできる。即ち、固定カバー手段１０ａはキー入力部１００に受けいれ可能に形成することができる。
【００７５】
一方、ディスプレイ２、４は、パネルハウジング２０、４０の折られた側面部にて互いに隣接するので、ディスプレイ２、４の一側面は露出したり薄い保護フィルムによって支えている。従って、ディスプレイ２、４の折られた部分をカバーするためにカバー手段１０が備わる必要がある。カバー手段１０はパネルハウジング２０、４０が折られたり広げられることによって共に連動するべきである。しかしながら、図７に示したように、本実施の形態では、キー入力部の側面に固定カバー手段１０ａが備わるので、パネルハウジング２０、４０の折られる側面部が簡単な構造により保護できる。
【００７６】
図８は拡張部を備えた実施の形態の図面である。
【００７７】
図面のように、キー入力部１００の側面部に拡張部１５０を装着することができる。前記拡張部１５０は分離式にキー入力部１００から脱着することができる。また、前記拡張部１５０には別途のペン入力装置１８が備わることができ、ペン入力装置１８の下端に追加のディスプレイがさらに備わることができる。また、拡張部１５０には拡張できるメモリ装置とバッテリなどがさらに装着できて、マルチディスプレイ措置の性能を向上させることができる。
【００７８】
図９ａと図９ｂはキー入力部が摺動移動する本発明のディスプレイを示す。
【００７９】
本実施の形態では、キー入力部はパネルハウジングの下部に摺動して受けいれられる。前記キー入力部はディスプレイが互いに隣接する方向と直角方向に摺動移動する。
【００８０】
図９ａはパネルハウジング２０、４０が折られた状態であり、キー入力部１００がパネルハウジングの下部に設けられたハウジング５０に受けいれられた状態を示す。図９ｂはパネルハウジングが広げられた状態であり、キー入力部１００が摺動移動してパネルハウジング２０、４０の外に出た状態を示す。
【００８１】
キー入力部１００は溝形態の摺動手段１１５が備わって、パネルハウジング２０、４０の下部に設けられたハウジング５０に受けいれられたり外に出る。また、キー入力部１００には入力装置１１０とキー入力部溝１２０が備わる。
【００８２】
一方、パネルハウジング４０の側面部にはハンドル４５が形成されてパネルハウジング２０、４０が広がりやすくされている。そして、固定突起４３と固定溝２３によってパネルハウジング２０、４０の折られた状態が安定に維持される。
【００８３】
本実施の形態では、パネルハウジング２０、４０を広げると、自動にキー入力部１００が摺動してハウジング５０の外に出るようにする手段を提供する。
【００８４】
図面の通り、キー入力部１００がディスプレイ２、４が隣接する方向と直角方向に摺動するので、携帯用マルチディスプレイ装置が縦方向に長い形態になって、使用者が手で取り易い。
【００８５】
図１０ａと図１０ｂは動力装置によって摺動する原理を示す。
【００８６】
動力装置７０は弾性エネルギーを貯蔵するらせんバネで形成され、動力伝達手段７２に連結される。また、図１０ｂに示したキー入力部１００の上端に設けられた鋸歯ギア８５は前記動力伝達手段７２と連結される。
【００８７】
図９ｂの通り、キー入力部１００を手で押してハウジング５０の内部に受けいれると、キー入力部１００の鋸歯ギア８５と連結された動力伝達手段７２によって動力装置７０のらせんバネは弾性力を貯蔵する。この時、閉ざし装置を備えると、ハウジング５０の内部に受けいれられたキー入力部１００を固定できる。閉ざし装置を解くと、キー入力部１００はらせんバネに蓄えられた弾性力によって摺動してハウジング５０の外に出る。
【００８８】
図１１は図９ａと図９ｂに示した本発明のブロック図である。
【００８９】
マルチディスプレイ装置は、中央処理装置２００、ロム２１０、ラム２２０、イーピロム２３０、入力装置１１０とＲ／Ｆ部２４０を含む。前記中央処理装置２００はディスプレイ駆動回路１（２ａ）と駆動回路２（４ａ）を制御してディスプレイ１（２）とディスプレイ２（４）を駆動する。
【００９０】
本発明のマルチディスプレイ装置は、さらにセンサー１、２（２２ａ）（２２ｂ）を備える。前記センサー１（２２ａ）はパネルハウジング２０、４０の結合状態を感知し、センサー２（２２ｂ）はキー入力部の受けいれ状態を感知する。前記センサー２２ａ、２２ｂの感知信号は中央処理装置２００に伝送される。動力装置７０はその感知信号に従って駆動する。ここで、センサー１（２２ａ）はパネルハウジング２０に設けられた固定溝２３に備わり、センサー２（２２ｂ）はハウジング５０内に備わる。特に、センサー２（２２ｂ）はハウジング５０内の下側とキー入力部１００の上に備わる。
【００９１】
図１０ａの実施の形態では、動力装置７０はらせんバネで形成されたが、センサー２２ａ、２２ｂによって駆動する動力装置７０は伝動装置で形成でき、前記伝動装置は図１０ａの動力装置７０の位置と同一の位置に配置される。
【００９２】
図１２は伝動装置を制御する順序図である。
【００９３】
使用者が電源スイッチをオンすると、アンテナからの電波信号はＲ／Ｆ部２４０を通じて中央処理装置２００に印加される。そして、入力装置１１０を通じて特定機能などを設定すると、中央処理装置２００は入力装置１１０を通じて設定された特定機能を遂行して、ディスプレイ２、４を駆動する信号をディスプレイ駆動回路２ａ、４ａに出力する。また、センサー１、２（２２ａ）（２２ｂ）はパネルハウジングの結合状態とキー入力部の受けいれ状態を感知する。その感知信号は中央処理装置２００に出力される。
【００９４】
先ず、センサー１（２２ａ）によってパネルハウジング２０、４０が結合されたことを判断する（３１２段階）。
【００９５】
パネルハウジング２０、４０が結合されていると、センサー２（２２ｂ）によってキー入力部１００がパネルハウジング２０、４０の下部に受けいれられたことを判断する（３１３段階）。キー入力部１００が受けいれられていると、伝動装置７０ａは駆動しない。キー入力部１００が受けいれられていないと、伝動装置７０ａを駆動してキー入力部１００を受けいれる（３１４〜３１５段階）。
【００９６】
また、パネルハウジング２０、４０が結合されていなくても、センサー２（２２ｂ）によってキー入力部１００がパネルハウジング２０、４０の下部に受けいれられたことを判断する（３１６段階）。キー入力部１００が受けいれられていないと、伝動装置が駆動しなくて、受けいれられていると、伝動装置を駆動してキー入力部１００がパネルハウジング２０、４０の外に出るようにする（３１７〜３１８段階）。
【００９７】
前記順序図によって、パネルハウジング２０、４０が閉じると、キー入力部１００はパネルハウジング２０、４０の下部に受けいれられ、パネルハウジング２０、４０が開くと、キー入力部１００はパネルハウジング２０、４０の下部で外に出る。
【００９８】
一方、キー入力部１００がパネルハウジング２０、４０の外に出た場合にも、パネルハウジング２０、４０は閉じた状態を維持することができる。そして、キー入力部１００が受けいれられると、パネルハウジング２０、４０が閉じて、キー入力部が出ると、パネルハウジングを広げることができる。
【００９９】
図１３はキー入力部の移動と連動してパネルハウジングが開く実施の形態を示す。
【０１００】
図面に示した通り、動力伝達手段７２の直線運動は調節ギア７１ｂを通じて回転運動に変換され、また連結ギア７２ａを通じて連結手段６２に設けられた連結軸ギア６１ｆに伝達される。また、動力伝達手段７２は連結板７３を通じてキー入力部１００の鋸歯ギア８５と連結される。一方、連結板７３はキー入力部１００の移動距離の中で直線運動だけを動力伝達手段７２に伝達されるように設計される。図面に省略された動力伝達手段７２の他の部分も他の連結手段６１、６２に連結される。
【０１０１】
この時、伝動装置７０ａが連結軸ギア６１ｆまたは動力伝達手段７２に連結され、キー入力部１００の受けいれ状態を感知するセンサーを備えることができる。それなら、手動に動くキー入力部１００を感知してパネルハウジング２０、４０を伝動装置で開閉できる。このような動作原理は図４の順序図を応用して適用できる。この場合には、キー入力部１００を動力伝達手段７２と連結しなくても良い。
【０１０２】
図１４はパネルハウジングとキー入力部が連動されて動く他の実施の形態を示す。
【０１０３】
速度調節ギア７１ｃと直線運動を回転運動に変える調節ギア７１ｂが動力伝達手段７２と連結軸ギア６１ｆの間に備えられて、キー入力部１００の動きがパネルハウジング２０、４０の開閉と連動されて動くようにする。
【０１０４】
即ち、速度調節ギア７１ｃの調節によって、連結手段６１、６２が１８０度回転する間にキー入力部１００が完全に外に出る。従って、パネルハウジング２０、４０を閉じると、キー入力部１００も受けいれられ、パネルハウジング２０、４０を開けると、キー入力部１００も外に出る。また、キー入力部１００にハンドルを付着してキー入力部１００を動かすこともできる。キー入力部１００をパネルハウジング２０、４０の内に受けいれると、パネルハウジング２０、４０が閉じ、キー入力部１００を出ると、パネルハウジング２０、４０が開く。
【０１０５】
動力伝達手段７２に伝動装置７０ａを連結すると、図１１に示したスイッチ２５０によって伝動装置７０ａを可動させることができる。
【０１０６】
即ち、スイッチ２５０の一回ボタン動作によって、パネルハウジング２０、４０を開けることとキー入力部１００を出ることができる。反対に、スイッチ２５０の一回ボタン動作によって、パネルハウジング２０、４０を閉じることとキー入力部１００を受けいれることができる。
【０１０７】
図１５はディスプレイに補助ディスプレイを備える実施の形態の図面である。
【０１０８】
図１５のように、補助ディスプレイ６をパネルハウジング４０の外側に備えることができる。本発明のマルチディスプレイ装置の状態は、パネルハウジング２０、４０を閉じた状態でも前記補助ディスプレイ６を通じて確認できる。
【０１０９】
パネルハウジング２０、４０を閉じた状態で、キー入力部１００がパネルハウジングの外に出ると、補助ディスプレイ６だけを駆動してマルチディスプレイ装置を使用できる。この場合には、パネルハウジング２０、４０の閉鎖がセンサーにより感知されると、補助ディスプレイ６だけが駆動する。
【０１１０】
前記補助ディスプレイ６が備わる場合には、パネルハウジング２０、４０を広げると、キー入力部１００は外で出る。しかし、キー入力部１００を外に外すと、パネルハウジング２０、４０は広げられない。
【０１１１】
図１６は摺動移動ができるパネルハウジングを備える本発明の他の実施の形態を示す。
【０１１２】
パネルハウジング２０、４０は摺動して移動するので、パネルハウジングが重ねられるかまたは広げられる構造となる。パネルハウジングが広げられる場合には、パネルハウジング２０、４０に装着されたディスプレイが互いに隣接する。
【０１１３】
そして、キー入力部１００が摺動して移動する方向はディスプレイが隣接する方向と直角方向になってマルチディスプレイ装置を取り易いようにする。
【０１１４】
キー入力部１００をパネルハウジングの下部に受けいれたり外に出たりする摺動移動は、パネルハウジング２０、４０を互いに結合したり分離して画面を拡張または減少する装置にも適用できる。
【０１１５】
図１７ａと図１７ｂはキー入力部に拡張部が結合された実施の形態を示す。
【０１１６】
図面の通り、キー入力部の左側面もしくは右側面に拡張部１５０を結合できる。前記拡張部１５０はペン入力装置１８である。前記ペン入力装置１８の下端にディスプレイをさらに備えることができる。そして、前記拡張部１５０に追加メモリ装置とか電源装置がさらに装着されてマルチディスプレイ装置の性能を向上させることができる。
【０１１７】
図１７ａは折られたり広げられることができるパネルハウジング２０、４０の下部に備わるキー入力部１００に拡張部１５０が備わった実施の形態の図面である。
【０１１８】
図１７ｂは結合と分離もしくは互いに摺動ができるパネルハウジングの下部に備わったキー入力部１００に拡張部が備わった実施の形態の図面である。
【０１１９】
図１８は摺動手段の他の実施の形態を示す。
【０１２０】
図９ｂに示したように、摺動手段１１５はキー入力部１００に溝もしくは突起形態に設けられる。しかし、このような場合には、キー入力部１００の外形を変更させなければならず、突起とか溝は異物感を生じる。
【０１２１】
このような問題点を解決するために、図１８のように、ハウジング５０の内部に摺動バー１１５ａが備わる。そして、キー入力部１００に孔を設けて、前記孔に摺動バー１１５ａが挿入されて、キー入力部１００が摺動する。
【０１２２】
図面では省略されたが、摺動バー１１５ａの終端、キー入力部１００の内部もしくはハウジング５０にキー入力部１００がハウジング５０から完全に外さないようにする掛かり手段が備わる。
【０１２３】
図１９ａ乃至図１９ｃはキー入力部とパネルハウジングの間に支持台を備える実施の形態を示す。
【０１２４】
図１９ａはキー入力部１００がハウジング５０に受けいれられた図面で、図１９ｂはキー入力部１００がハウジング５０の外に出た図面である。キー入力部１００がハウジング５０の外に出ると、キー入力部１００とパネルハウジング２０、４０の間に支持力が弱くなる。従って、弱くなった支持力を補強するために、支持台１８０をパネルハウジング２０、４０とキー入力部１００の間に備わる。
【０１２５】
前記支持台１８０はパネルハウジング２０、４０とキー入力部１００の間を支持台溝１８０ｃを沿って摺動する。前記支持台溝はキー入力部１００にも備わることができる。
【０１２６】
図１９ｃは支持台を示す図面である。支持台には支持台突起１８０ａ、１８０ｂが備わって摺動する。
【０１２７】
図２０ａ乃至図２０ｃは支持台の他の実施の形態を示す。
【０１２８】
本実施の形態では、支持台１９０は二端以上に重なる。キー入力部１００がパネルハウジング２０、４０の外に出ると、支持台１９０は広げられる。
【０１２９】
図２０ｂは広げられた支持台１９０を示した図面であり、図２０ｃは重なった支持台を示す図面である。前記支持台１９０は三つの支持台芯１９０ａ、１９０ｂ、１９０ｃを含み、三端に重なったり広げられるように構成される。
【０１３０】
一方、パネルハウジング２０、４０の下部とキー入力部１００の上部の間に板状形の支持台１９０が備わることができる。前記板状形の支持台もパネルハウジング２０、４０とキー入力部１００の間を摺動して移動する。
【０１３１】
本発明の特徴は二つ以上の折れることができるディスプレイとキー入力部１００を備えるマルチディスプレイ装置を提供することである。即ち、ディスプレイが垂直に互いに隣接すると、パネルハウジングとキー入力部は水平に連結される。従って、図１と図９に示したように、ディスプレイ２、４とキー入力部１００が互いに広げられた状態になると、ディスプレイ２、４がキー入力部１００の一側に傾く状態となる。
【０１３２】
ディスプレイ２、４が一側に傾く状態では、平衡が維持されなくて使用者は不便になる。従って、このような問題点を解決するために、本発明では広げられたディスプレイ２、４をキー入力部１００の中に位置させる手段を提供する。図２１乃至図２５はこの手段の多様な実施の形態を示す。
【０１３３】
図２１ａと図２１ｂは移動連結部により移動するディスプレイの実施の形態を示す。
【０１３４】
図２１ａの通り、キー入力部１００とディスプレイ２、４が広げられると、ディスプレイ２、４がキー入力部１００の一側に傾いた状態になる。これを防止するために、本実施の形態ではパネルハウジング４０とキー入力部１００の各々に移動連結部６５ａ、６５を備える。
【０１３５】
前記移動連結部６５ａ、６５は互いに摺動しつつ動いて、広げられたディスプレイ２、４がキー入力部１００の中に移動できるようにする。
【０１３６】
図２２ａと図２２ｂは広げられたディスプレイが摺動する原理を示す。
【０１３７】
キー入力部１００の連結部６ｃに移動連結部６５が備わって、前記移動連結部６５には縦の連結溝６５ｂが備わる。パネルハウジング４０に形成された連結突起６６が連結溝６５ｂに沿って摺動する。また、連結突起６６が連結溝６５ｂの外に外さないように連結掛かり６７が備わる。連結突起６６と連結掛かり６７には信号線が装着されるための連結孔６６ａ、６７ａが備わる。移動連結部６５には摺動面６５ｃが備わる。
【０１３８】
前記摺動面６５ｃはゴムとかプラスチックのような弾力材で形成されて密封効果を提供する。前記摺動面６５ｃは例えば、エナメル樹脂でハードコーティングされて摺動動作時の摩擦を減らす。
【０１３９】
図２２ｂは連結部と連結下敷き部が摺動する実施の形態を示す。
【０１４０】
キー入力部１００の連結部６ｃと連結下敷き部６ｄが摺動するように、連結溝６５ｂ内に連結突起６６と連結掛かり６７のみならず、連結孔６７ａと摺動面６６ｂが備わる。これらの作動原理は図２２ａと同一である。
【０１４１】
また、掛かり溝６８ａと掛かり突起６８が備わり、掛かり溝６８ａと掛かり突起６８は摺動が終った後、互いに固定する役割をする。即ち、広げられたディスプレイ２、４が右側端もしくは左側端に摺動する時、掛かり溝６８ａと掛かり突起６８は一つずつ結合される。この時、掛かり突起６８の角度のついた面はラウンディング（rounding）加工をし、掛かり突起６８が連結部６ｃの中に入って出るようにする。
【０１４２】
図２３ａと図２３ｂはキー入力部が摺動する時、ディスプレイが中に動く実施の形態を示す。キー入力部１００がパネルハウジング２０、４０と摺動することを示す。広げられたディスプレイ２、４はキー入力部１００の中に移動できる。
【０１４３】
図２３ａはハウジングを示し、図２３ｂはパネルハウジング２０、４０を示す。連結溝６５ｂ、連結突起６６、連結掛かり６７、連結孔６７ｃおよび摺動面６７ｂが備わって、これらの各々の動作は図２２ａと同一である。そして、掛かり溝６８ａと掛かり突起６８も備わって、これらの各々の動作は図２２ｂと同一である。これらの動作によって、広げられたディスプレイ２、４がキー入力部１００の中に摺動することができる。
【０１４４】
図２４ａと図２４ｂはディスプレイが互いに背面に折られる場合の実施の形態を示す。
【０１４５】
図２４ａはディスプレイが互いに背面に折られることを示す図面であり、ディスプレイ２、４が装着されたパネルハウジング２０、４０が後ろに完全に折られて、ディスプレイ２、４も背面に折られる。パネルハウジング２０、４０が広げられると、ディスプレイ２、４は互いに隣接する。
【０１４６】
図２４ｂはディスプレイ２、４が広げられる時、ディスプレイがキー入力部１００の中に移動することを示す図面である。
【０１４７】
図２５ａと図２５ｂは背面に折られるディスプレイの他の実施の形態を示す。
【０１４８】
図２５ａの通り、ディスプレイ２、４が装着されたパネルハウジング２０、４０は背面に完全に折られて、ディスプレイ２、４の背面が互いに接触する。しかしながら、パネルハウジング２０、４０が広げられる場合には、パネルハウジング２０、４０にディスプレイ２、４が分離装着されたので、ディスプレイ２、４は互いに隣接しない。
【０１４９】
図２５ｂはディスプレイ２、４がキー入力部の中に移動する他の実施の形態を示す。
【０１５０】
一方、ディスプレイ２、４がキー入力部の中に動ける時、前記ディスプレイは結合されたり分離される構造を有することができる。また、ディスプレイは摺動移動により重なったり広げられる構造を有することもできる。
【０１５１】
図２６はパネルハウジングの内部に装着されたディスプレイを示した図面である。
【０１５２】
パネルハウジング２０の側壁２０ｄ、２０ｇは厚さが異なることができる。パネルハウジング２０には連結手段６１、６２が装着される連結軸部２０ｃと連結軸溝６２ａが備わる。ディスプレイ２、４が互いに隣接する部分のパネルハウジング２０、４０の側壁には連結繋ぎ部２０ｆが備わる。また、ディスプレイが隣接する側壁を切開して連結切開部２０ｅが設けられる。前記ディスプレイ２、４は連結切開部２０ｅの上端に装着される。
【０１５３】
パネルハウジング２０、４０が互いに密着してディスプレイ２、４が隣接する時、前記連結繋ぎ部２０ｆを通じてディスプレイ２、４が互いに隣接することができる。
【０１５４】
連結繋ぎ部２０ｆは図面で点線で示した。前記連結繋ぎ部２０ｆの厚さはパネルハウジングの他側より薄く形成されてディスプレイ２、４ができるだけ近く隣接する。また、前記連結繋ぎ部２０ｆは開口形態に形成できる。
【０１５５】
ディスプレイはディスプレイパネル２ａ、基板２ｂ、駆動連結部２ｃおよび拡散板３０などからなって、機構物１６０に装着される。前記ディスプレイの各部分と機構物１６０を合わせてモジュール（module）という。前記モジュールにはスピーカー１００ｃが連結される。前記スピーカーはパネルハウジング２０、４０の中で一つだけに提供される。
【０１５６】
前記ディスプレイが隣接することはモジュールが隣接することと同一な意味である。モジュールの隣接部２ｅを図面に示した。前記隣接部の機構物１６０は開いている。即ち、機構物１６０の隣接部２ｅの反対側は一定な厚さが形成されているが、機構物１６０の隣接部２ｅは開放されている。
【０１５７】
連結切開部２０ｅの上端にモジュールの隣接部２ｅが位置するように、パネルハウジングにディスプレイを装着すると覆い２４を覆う。前記覆い２４には保護覆いが装着されるために覆い段差２４ａが備わる。前記覆い２４はパネルハウジングに固定するために覆い挿入部２４ｂも備わる。前記覆いの側面は段差２４ｃ、２４ｄを有し、スピーカー孔１１０ｂが備わる。図面で、スピーカー孔１１０ｂが二つ備わるが、その数はこれに限することはない。スピーカー孔１１０ｂの位置はディスプレイ２、４がキー入力部１００の中に移動する場合に備えたものである。
【０１５８】
図２７はディスプレイが装着されたパネルハウジングと保護覆いを示した図面である。
【０１５９】
図面に示したように、ディスプレイ２がパネルハウジング２０に装着されると、覆い２４を覆った後、また保護覆い２４０を覆う。前記保護覆い２４０は保護覆いの前面２４０ａと保護覆いの側面２４０ｂとからなる。前記保護覆いの前面２４０ａは覆い段差２４ａに装着されて画面の前面を保護し、保護覆いの側面２４０ｂは、パネルハウジング２０の隣接部２ｅに設けられた画面繋ぎ部を保護するために、側面付着部２０ｈに装着される。前記側面付着部２０ｈは図面で点線で示し、段差が形成されることもできる。
【０１６０】
前記保護覆いの側面２４０ｂは保護覆いの前面２４０ａより薄く形成される。即ち、前記保護覆いの側面２４０ｂの厚さは０．５ｍｍ以下で、ディスプレイ２、４ができるだけ近く隣接するためである。
【０１６１】
一方、保護覆いの前面２４０ａは透明な材質で形成され、保護覆いの端２４０ｃは駆動連結部２ｃが見えないように不透明な材質で形成される。
【０１６２】
図２８ａ乃至図２８ｄは機構物を示す。
【０１６３】
ディスプレイパネル２ａおよびディスプレイ回路などが装着される機構物１６０にも連結繋ぎ部１６０ｅ、１６０ｆが設けられる。前記連結繋ぎ部１６０ｅ、１６０ｆを通じてディスプレイが互いに隣接され、連結繋ぎ部１６０ｅ、１６０ｆは他の部分より薄く形成されたり開放される構造を有する。
【０１６４】
図２８ａは機構物の隣接部２ｅに設けられた連結繋ぎ部が開放された形態を示す。機構物１６０の隣接部２ｅにある連結繋ぎ部は開放されたが、隣接部２ｅの反対側は支えておって、隣接部を通じてディスプレイ２、４が隣接することができる。ディスプレイパネル２ａおよび拡散板３０が前記機構物１６０のパネル下敷き部１６０ａに装着される。そして、パネル下敷き部１６０ａとディスプレイパネルおよび拡散板は接着剤とか掛かり手段により固定される。
【０１６５】
図２８ｂは機構物の隣接部２ｅに設けられた連結繋ぎ部１６０ｅ、１６０ｆが薄く設けられたことを示す。前記連結繋ぎ部１６０ｅ、１６０ｆは機構物の他の部分より薄く設けられ、ディスプレイ２、４ができるだけ近く隣接するようにする。
【０１６６】
本発明では、ディスプレイパネル２ａと駆動基板２ｂが機構物に装着されるので機構物１６０の構造を二階にした。しかしながら、ディスプレイパネル２ａのみが装着される場合には、機構物１６０を一階に設けることもできる。機構物１６０を一階に設ける場合には、図面符号“１６０ｅ”だけが連結繋ぎ部になる。
【０１６７】
図２８ｃは機構物１６０に掛かり部１６０ｄが備わった図面である。図面の通り、掛かり１６０ｄはパネルハウジング２０の連結軸部２０ｃに掛かり作用をするように固定される。即ち、ディスプレイがパネルハウジング２０、４０の隣接部２ｅ部の方向に離脱される可能性があるので、パネルハウジングを固定するために機構物１６０に掛かり手段を備えて、ディスプレイがパネルハウジング２０、４０の隣接部２ｅ方向に離脱されることを防止する。
【０１６８】
図２８ｄはパネル下敷き部１６０ａの他の形態を示す。段差を示している中が開いているので、ここに拡散板を装着することができる。
【０１６９】
図２９ａと図２９ｂはパネルハウジングと機構物の連結繋ぎ部を示した図面である。
【０１７０】
図２９ａは図２６のパネルハウジングを切断線で切断した、パネルハウジング２０の連結繋ぎ部２０ｆの断面図である。前記連結繋ぎ部２０ｆはパネルハウジングの他の部分より薄く設けられ、０．５ｍｍ以下である。ディスプレイは連結切開部２０ｅに装着される。
【０１７１】
図２９ｂは機構物１６０の連結繋ぎ部１６０ｅ、１６０ｆを示す。同じように、ディスプレイ２、４の側面を保護しながらディスプレイが最大に近く隣接するようにするために、前記連結繋ぎ部１６０ｅ、１６０ｆも機構物１６０の他の部分より薄く設けられ、０．５ｍｍ以下である。
【０１７２】
以上で説明したように本発明のマルチディスプレイ装置は、パネルハウジングを広げるとディスプレイの少なくとも一辺が隣接する携帯可能なマルチディスプレイ装置において、前記パネルハウジングとは別途に入力機能があるキー入力部を備え、前記パネルハウジングとキー入力部を折ったり広げたりすることができ、摺動移動することもできる。
【０１７３】
また、前記パネルハウジングが垂直に隣接すると、前記パネルハウジングとキー入力部は水平に折ったり、摺動し得る。従って、携帯できるマルチディスプレイ装置を手で取って使用し易く、パネルハウジングの相互間を広げ得る便利な手段を提供する。
【図面の簡単な説明】
【０１７４】
【図１ａ】本発明のマルチディスプレイ装置を示す図である。
【図１ｂ】本発明のマルチディスプレイ装置を示す図である。
【図２】パネルハウジングでカバー手段の反対側側面を示す図である。
【図３ａ】パネルハウジングを折ったり広げる手段として伝動装置を用いる実施の形態の図である。
【図３ｂ】パネルハウジングを折ったり広げる手段として伝動装置を用いる実施の形態の図である。
【図４】本発明のマルチディスプレイのブロック図である。
【図５ａ】補助ディスプレイを備える実施の形態の図である。
【図５ｂ】補助ディスプレイを備える実施の形態の図である。
【図６】補助ディスプレイを用いる順序を示した図である。
【図７ａ】カバー手段の他の実施の形態の図である。
【図７ｂ】カバー手段の他の実施の形態の図である。
【図８】拡張部を備える実施の形態の図である。
【図９ａ】摺動移動するキー入力部を備える本発明のディスプレイを示す図である。
【図９ｂ】摺動移動するキー入力部を備える本発明のディスプレイを示す図である。
【図１０ａ】動力装置によって摺動する原理を示す図である。
【図１０ｂ】動力装置によって摺動する原理を示す図である。
【図１１】図９ａと図９ｂに示された本発明のブロック図である。
【図１２】伝動装置を制御する順序図である。
【図１３】キー入力部の移動と連動してパネルハウジングが開く実施の形態の図である。
【図１４】パネルハウジングとキー入力部が連動されて動く他の実施の形態の図である。
【図１５】補助ディスプレイを備える実施の形態の図である。
【図１６】摺動移動ができるパネルハウジングを備える実施の形態の図である。
【図１７ａ】キー入力部に拡張部が結合された実施の形態を示す図である。
【図１７ｂ】キー入力部に拡張部が結合された実施の形態を示す図である。
【図１８】摺動手段の他の実施の形態の図である。
【図１９ａ】キー入力部とパネルハウジングの間に支持台を備える実施の形態の図である。
【図１９ｂ】キー入力部とパネルハウジングの間に支持台を備える実施の形態の図である。
【図１９ｃ】キー入力部とパネルハウジングの間に支持台を備える実施の形態の図である。
【図２０ａ】支持台の他の実施の形態を示す図である。
【図２０ｂ】支持台の他の実施の形態を示す図である。
【図２０ｃ】支持台の他の実施の形態を示す図である。
【図２１ａ】移動連結部でディスプレイを移動する実施の形態の図である。
【図２１ｂ】移動連結部でディスプレイを移動する実施の形態の図である。
【図２２ａ】広げられたディスプレイが摺動する原理を示す図である。
【図２２ｂ】広げられたディスプレイが摺動する原理を示す図である。
【図２３ａ】キー入力部が摺動する時、ディスプレイが中に動く実施の形態の図である。
【図２３ｂ】キー入力部が摺動する時、ディスプレイが中に動く実施の形態の図である。
【図２４ａ】ディスプレイが互いに背面に折られる実施の形態の図である。
【図２４ｂ】ディスプレイが互いに背面に折られる実施の形態の図である。
【図２５ａ】背面に折られるディスプレイの他の実施の形態の図である。
【図２５ｂ】背面に折られるディスプレイの他の実施の形態の図である。
【図２６】パネルハウジングに装着されたディスプレイを示す図である。
【図２７】ディスプレイが装着されたパネルハウジングと保護覆いを示す図である。
【図２８ａ】機構物を示す図である。
【図２８ｂ】機構物を示す図である。
【図２８ｃ】機構物を示す図である。
【図２９ａ】パネルハウジングと機構物の連結繋ぎ部を示す図である。
【図２９ｂ】パネルハウジングと機構物の連結繋ぎ部を示す図である。
2005539326.tif 000003
2005539326.tif 000004
【図２】
2005539326.tif 000005
2005539326.tif 000006
2005539326.tif 000007
【図４】
2005539326.tif 000008
2005539326.tif 000009
2005539326.tif 000010
【図６】
2005539326.tif 000011
2005539326.tif 000012
【図８】
2005539326.tif 000013
2005539326.tif 000014
2005539326.tif 000015
【図１１】
2005539326.tif 000016
【図１２】
2005539326.tif 000017
【図１３】
2005539326.tif 000018
【図１４】
2005539326.tif 000019
【図１５】
2005539326.tif 000020
【図１６】
2005539326.tif 000021
2005539326.tif 000022
2005539326.tif 000023
【図１８】
2005539326.tif 000024
2005539326.tif 000025
2005539326.tif 000026
2005539326.tif 000027
2005539326.tif 000028
2005539326.tif 000029
2005539326.tif 000030
2005539326.tif 000031
2005539326.tif 000032
2005539326.tif 000033
2005539326.tif 000034
2005539326.tif 000035
2005539326.tif 000036
【図２６】
2005539326.tif 000037
【図２７】
2005539326.tif 000038
2005539326.tif 000039
2005539326.tif 000040
2005539326.tif 000041
2005539326.tif 000042
2005539326.tif 000043
【国際調査報告】
2005539326.tif 000044
2005539326.tif 000045